(57)【要約】      （修正有）【課題】提供されるサービスを、個人のローカルコミュニティを定義するローカルタクソノミーに基づいて適合させるためのシステム及び方法を提供する。【解決手段】方法は、サイト位置の特定の範囲内に位置する様々なモバイルデバイスを検出し及び／又はこれと通信するために使用される極近接プロトコルを含み、モバイルデバイスに情報を要求するデバイスと、サービス提供デバイスの範囲内にいる１人以上のユーザにサービスを提供するデバイスと、を含む。ローカルタクソノミーは、個人のローカルコミュニティの動態に基づいて（すなわち、個人がシステムの範囲に出入りするのに応じて）生成及び進化させられる。提供されるサービスは、ローカルタクソノミーが変化するのに応じて適合させられる。【選択図】図４
2020115342.tif 000002
【特許請求の範囲】
【請求項１】
ローカルタクソノミーに基づいてサービスを動的に適合させるためのシステムであって、前記システムは、
サイトに位置する情報要求デバイスであって、前記情報要求デバイスが、
前記サイトへの少なくとも第１の近接内に位置する１つ以上のモバイルデバイスを検出し、前記１つ以上のモバイルデバイスと通信することができる近接モジュールと、
前記１つ以上のモバイルデバイスに共有可能なユーザ情報を要求し、前記１つ以上のモバイルデバイスから前記共有可能なユーザ情報を受信するように構成された要求コンポーネントと、
前記第１の近接内の前記１つ以上のモバイルデバイスから受信された前記共有可能なユーザ情報に基づいて前記ローカルタクソノミーを生成するように構成されたローカルタクソノミージェネレータと、
前記ローカルタクソノミーをサービス提供デバイスに出力するように構成された出力コンポーネントと、
前記近接モジュールを動作させ、前記要求コンポーネント、前記ローカルタクソノミージェネレータ、及び前記出力コンポーネントを実装するプロセッサと、
前記共有可能なユーザ情報、前記ローカルタクソノミー、並びに前記要求コンポーネント、ローカルタクソノミージェネレータ、及び出力コンポーネントを実装するための命令を記憶するメモリデバイスと、を含む、情報要求デバイスと、
前記サイトへの前記第１の近接内に位置する前記１つ以上のモバイルデバイスに関連付けられたユーザのうちの少なくとも１人に前記サービスを提供する前記サービス提供デバイスであって、前記サービスが、前記ローカルタクソノミーに基づいて適合されている、サービス提供デバイスと、を備える、システム。
【請求項２】
情報要求デバイスが、複数のユーザ情報カテゴリによって定義されたマスタータクソノミーに基づいて、前記１つ以上のモバイルデバイスから受信された前記共有可能なユーザ情報の少なくとも一部分を分類するように構成された分類コンポーネントを更に含む、請求項１に記載のシステム。
【請求項３】
前記１つ以上のモバイルデバイスから受信された前記共有可能なユーザ情報の少なくとも一部分が、前記分類コンポーネントによって前記複数のユーザ情報カテゴリのうちの少なくとも１つに分類される、請求項２に記載のシステム。
【請求項４】
前記ローカルタクソノミーが、前記マスタータクソノミーの前記複数のユーザ情報カテゴリのサブセットによって定義され、前記ローカルタクソノミージェネレータが、前記分類コンポーネントによって前記複数のユーザ情報カテゴリのうちの前記少なくとも１つに分類された前記共有可能なユーザ情報に基づいて前記ローカルタクソノミーを生成する、請求項３に記載のシステム。
【請求項５】
前記サイトへの前記第１の近接内に位置する前記１つ以上のモバイルデバイスに関連付けられた前記ユーザのうちの前記少なくとも１人に前記サービス提供デバイスによって提供される前記サービスが、前記ローカルタクソノミーの前記複数のユーザ情報カテゴリのうちの少なくとも１つに分類された前記共有可能なユーザ情報に基づいて適合されている、請求項４に記載のシステム。
【請求項６】
前記ローカルタクソノミーが、前記サイトへの前記第１の近接内に位置する２つ以上のモバイルデバイスから受信された共有可能なユーザ情報を含む、請求項４に記載のシステム。
【請求項７】
前記サイトへの前記第１の近接内に位置する前記２つ以上のモバイルデバイスに関連付けられた前記ユーザのうちの前記少なくとも１人に前記サービス提供デバイスによって提供される前記サービスが、前記ローカルタクソノミーの前記複数のユーザ情報カテゴリのうちの少なくとも１つに分類された前記共有可能なユーザ情報に基づいて適合されている、請求項６に記載のシステム。
【請求項８】
前記マスタータクソノミーを定義する前記複数のユーザ情報カテゴリが、ネイティブタイムゾーン、音楽プリファレンス、ビデオプリファレンス、ユーザの趣味、言語プリファレンス、温度プリファレンス、並びに印刷及びスキャンプリファレンスのうちの少なくとも１つを含む、請求項２に記載のシステム。
【請求項９】
前記１つ以上のモバイルデバイスから受信された前記共有可能なユーザ情報の前記少なくとも一部分が、ネイティブタイムゾーン、音楽プレイリスト、アーティスト、趣味、母国語、音楽のジャンル、ビデオのジャンル、温度、及び印刷色設定のうちの少なくとも１つを含む、請求項８に記載のシステム。
【請求項１０】
前記サービス提供デバイスが、オーディオデバイス、視覚表示デバイス、加熱システム、冷却システムのうちの少なくとも１つである、請求項９に記載のシステム。
【請求項１１】
前記近接モジュールが、前記サイトへの少なくとも第２の近接内に位置する１つ以上のモバイルデバイスを検出することができ、前記ローカルタクソノミージェネレータが、少なくとも前記第２の近接内に位置する前記１つ以上のモバイルデバイスから受信された前記共有可能なユーザ情報に基づいて前記ローカルタクソノミーを生成するように構成されている、請求項４に記載のシステム。
【請求項１２】
前記サイトへの少なくとも前記第２の近接内に位置する前記１つ以上のモバイルデバイスに関連付けられた少なくとも１人以上のユーザに前記サービス提供デバイスによって提供される前記サービスが、前記ローカルタクソノミーの前記複数のユーザ情報カテゴリのうちの少なくとも１つに分類された前記共有可能なユーザ情報に基づいて適合されている、請求項１１に記載のシステム。
【請求項１３】
前記システムが、前記サイトへの前記第１の近接内に位置する前記１つ以上のモバイルデバイスを更に備え、各モバイルデバイスが、前記モバイルデバイスに関連付けられた前記共有可能なユーザ情報を送信するために前記情報要求デバイスと通信することができる情報共有コンポーネントと、前記情報共有コンポーネントを実装するためのプロセッサと、前記情報共有コンポーネントを実装するための命令を記憶するメモリデバイスと、を有する、請求項１に記載のシステム。
【請求項１４】
前記情報共有コンポーネントが、前記モバイルデバイスに関連付けられた一意識別子を生成するように構成された一意識別子ジェネレータを含む、請求項１３に記載のシステム。
【請求項１５】
前記情報共有コンポーネントは、前記モバイルデバイスに関連付けられたユーザ情報が、共有可能なユーザ情報又はプライベートユーザ情報であるかどうかを判定するように構成された情報プライバシーコンポーネントを更に含む、請求項１４に記載のシステム。
【請求項１６】
前記サービス提供デバイスが前記情報要求デバイスを含む、請求項１に記載のシステム。
【請求項１７】
サービス提供デバイスによって提供されるサービスをローカルタクソノミーに基づいて適合させるための方法であって、前記方法は、
情報要求デバイス及び前記サービス提供デバイスをサイトに配備することと、
前記サイトへの少なくとも第１の近接内に位置する１つ以上のモバイルデバイスを検出することと、
前記サイトへの少なくとも前記第１の近接内に位置する前記１つ以上のモバイルデバイスに、共有可能なユーザ情報を要求することと、
前記サイトへの少なくとも前記第１の近接内に位置する前記１つ以上のモバイルデバイスのうちの少なくとも１つから、共有可能なユーザ情報を受信することと、
前記少なくとも１つのモバイルデバイスから受信された前記共有可能なユーザ情報に基づいてユーザ情報のローカルタクソノミーを生成することと、
前記ローカルタクソノミーに基づいて、前記サービス提供デバイスによって提供される前記サービスを修正することと、を含む、方法。
【発明の詳細な説明】
【技術分野】
【０００１】
例示的な実施形態は、ユーザの近接に基づいたシステム及びデバイスの適応的構成に関するものであり、１人以上の近接した個人に関連付けられた情報によって定義される生成されたローカルタクソノミーに基づいて、サービス提供デバイスによって提供されるサービスを適合させるためのシステム及び方法における特定の適用を見出す。
【０００２】
多くのシステム及びデバイスは、限られた範囲又は近接内の個人にサービスを提供するが、それらの個人の指示された行動なしでは、それらの個人の変化する動態及び好みを認識しないままである。換言すれば、人々のコミュニティにサービスを提供するこれらのシステム及びデバイスは、現在の環境の直接的な知識を有しない。結果として、それらの個人及び人々のグループに提供されるこれらのサービスは、それらのコミュニティのニーズ又は要望を満たすことができない。
【０００３】
その結果、そのようなシステム及びデバイスに極めて近接した範囲内に位置する個人及び人々のグループのニーズ及び好みに基づいて、様々なシステム及びデバイスによって提供されるサービスを適合させるためのシステム及び方法が必要とされている。
【０００４】
例示的な実施形態の一態様によれば、ローカルタクソノミーに基づいてサービスを動的に適合させるためのシステムが提供される。システムは、サイトの近くにいるユーザに関する情報を要求する、サイトに配設された情報要求デバイスと、上記ユーザに関する情報に基づいて適合されているサービスを提供する、サービス提供デバイスと、を含む。情報要求デバイスは、サイトへの少なくとも第１の近接内に位置する個人に関連付けられた１つ以上のモバイルデバイスを検出し、これと通信することができる近接モジュールと、共有可能なユーザ情報をモバイルデバイスに要求し、共有可能なユーザ情報をモバイルデバイスから受信する要求コンポーネントと、ローカルモバイルデバイスから受信された共有可能なユーザ情報に基づいてローカルタクソノミーを生成するローカルタクソノミージェネレータと、ローカルタクソノミーをサービス提供デバイスに出力するように構成された出力コンポーネントと、を含む。情報要求デバイスは、デバイスのコンポーネント及びジェネレータのうちの１つ以上を実装するプロセッサと、共有可能なユーザ情報、ローカルタクソノミー、及び様々なコンポーネントを実装するための命令を記憶するメモリデバイスと、を含むことができる。
【０００５】
更に、サービス提供デバイスは、サイトへの第１の近接内に位置する１つ以上のモバイルデバイスに関連付けられたユーザのうちの少なくとも１人にサービスを提供し、サービスは、ローカルタクソノミーに基づいて適合されている。
【０００６】
特定の実施形態では、マスタータクソノミーは、複数のユーザ情報カテゴリによって定義され、ローカルタクソノミーは、１つ以上の近接モバイルデバイスから受信された共有可能なユーザ情報に基づいて複数のユーザ情報カテゴリのサブセットによって定義される。
【０００７】
例示的な実施形態の別の態様によれば、システムは、モバイルデバイスに関連付けられたユーザ情報を送信するために情報要求デバイスと通信することができる情報共有コンポーネントを有する１つ以上のモバイルデバイスを含む。情報共有コンポーネントは、モバイルデバイスに関連付けられたユーザ情報が、共有可能なユーザ情報又はプライベートユーザ情報であるかどうかを判定し、共有可能なユーザ情報のみを情報要求デバイスと選択的に共有するように構成された情報プライバシーコンポーネントを含むことができる。
【０００８】
例示的な実施形態の更に別の態様によれば、サービス提供デバイスによって提供されるサービスをローカルタクソノミーに基づいて適合させるための方法が提供される。本方法は、情報要求デバイス及びサービス提供デバイスをサイトに配備する工程と、サイトへの少なくとも第１の近接内に位置する１つ以上のモバイルデバイスを検出する工程と、サイトへの少なくとも第１の近接内に位置する１つ以上のモバイルデバイスに、共有可能なユーザ情報を要求する工程と、１つ以上のモバイルデバイスから受信された共有可能なユーザ情報に基づいてユーザ情報のローカルタクソノミーを生成する工程と、ローカルタクソノミーに基づいて、サービス提供デバイスによって提供されるサービスを修正する工程と、を含む。
【図面の簡単な説明】
【０００９】
【図１】配備サイトへの少なくとも第１の近接内に位置する上記ユーザに関連付けられた複数のモバイルデバイスから収集されたユーザ情報によって定義されたローカルタクソノミーに基づいて、サービス提供デバイスによって提供されるサービスを動的に適合させるためのシステムの図である。
【図２】図１のシステムの様々なコンポーネントを示す図である。
【図３】サービス提供デバイスによって提供されるサービスを動的に適合させるためのシステムの機能ブロック図である。
【図４】本開示の少なくとも１つの実施形態による、サービス提供デバイスによって提供されるサービスを適合させる方法を示すフローチャートである。  サービスを提供するデバイスの特定の距離内に位置するユーザの１つ以上のモバイルデバイスからの情報の収集及び分類に応じて、デバイスによって提供されるサービスを適応的に修正するシステム及び方法が記載される。
【発明を実施するための形態】
【００１０】
本明細書で使用するとき、用語「タクソノミー」は、各ユーザに関して、サービスの使用に関する特定のユーザの好みを記述するデータの任意の組織化を含むと見なされる。例えば、ユーザは、プリンタ上でカラー、両面、及びステープル留めの印刷が行われることを好み得る。この場合、好みデータは、タクソノミーの一部としてそれらのデータを含み得る。
【００１１】
図１及び図２を参照すると、デバイス１０２によって提供されるサービスをローカルタクソノミーの生成に基づいて適応的に修正するためのシステム１００の様々なコンポーネントが示されている。システム１００は、サービス提供デバイス１０２、及び情報要求デバイス１０４を含む。サービス提供デバイス１０２及び情報要求デバイス１０４は、サイト１０１に位置し（すなわち、配備され）得る。
【００１２】
好ましい実施形態では、情報要求デバイス１０４は、１つ以上のモバイルデバイス１０６、１０８、１１０にユーザ情報を要求し、各モバイルデバイスは、対応するユーザ１１２Ａ、１１４、１１６に関連付けられている。１人以上のユーザ１１２Ａ、１１４、１１６及びそれらの関連モバイルデバイス１０６、１０８、１１０は、情報要求デバイス１０４への少なくとも第１の近接内に位置し得る。例えば、図１に見られるように、ユーザ１１２Ａ、１１４及びそれらの関連モバイルデバイス１０６、１０８は、外周１２０によって画定される、情報要求デバイス１０４への第１の近接１１８内に位置する。
【００１３】
更に、追加のユーザが、情報要求デバイス１０４への１つ以上の追加の近接内に存在し得る。例えば、ユーザ１１６及び関連モバイルデバイス１１０は、外周１２４によって画定される、第２の近接１２２内に位置する。サイト１０１への１つ以上の近接内に位置するユーザ１０６、１０８、１１０は、ユーザのローカルコミュニティ１２６を形成する。以下で更に論じるように、情報要求デバイス１０４は、このユーザのコミュニティ１２６のユーザ１１２Ａ、１１４、１１６のモバイルデバイス１０６、１０８、１１０を検出して、ユーザ情報のローカルタクソノミー１２８を生成し、次いで、このローカルタクソノミーは、サービス提供デバイス１０２に（例えば、無線又は有線接続１４０を介して）伝達され、サービス提供デバイス１０２によって使用されて、それが提供するサービスをコミュニティ１２６内の１人以上のユーザに適合させる。
【００１４】
特定の実施形態では、ユーザのコミュニティ１２６は、ユーザがサイト１０１の近くにある１つ以上の近接ゾーンに出入りするときに経時的に変化する。例えば、図１に見られるように、ユーザ１１２Ａ及び関連モバイルデバイス１０６Ａは、第１及び第２の近接ゾーン１１８、１２２を矢印１３０に沿ってゾーン１３２へと離れる。いくつかの実施形態では、ゾーン１３２は近接ゾーン１１８、１２２の外側にあり、したがって、情報要求デバイス１０４は、もはや、そのようなユーザを検出し、そのようなユーザに情報を要求することはできない。換言すれば、ユーザ１１２Ａは、情報要求デバイス１０４への少なくとも第１の近接１１８内に位置しており、ユーザのコミュニティ１２６からのユーザ情報に基づいたローカルタクソノミー１２８の生成に含まれ得るが、ユーザ１１２Ｂ及びその関連する範囲外のデバイス１０６Ｂは、もはやユーザのコミュニティ１２６の一部ではない。結果として、ローカルタクソノミー１２８は、１人以上のユーザがサイト１０１への少なくとも第１の近接１１８に出入りするときに、動的に更新される。
【００１５】
特定の実施形態では、情報要求デバイス１０４及び１つ以上のモバイルデバイス１０６Ａ、１０８、１１０は、接続１３４、１３６、１３８を介して通信して、共有可能なユーザ情報などの情報を送受信する。いくつかの実施形態では、接続１３４、１３６、１３８は、極近接プロトコルを介して確立される。極近接プロトコルは、例えば、Ｂｌｕｅｔｏｏｔｈ（登録商標）低エネルギー（ＢＬＥ）接続１３４、１３６であり得る。しかしながら、Ｗｉ−Ｆｉ  Ｄｉｒｅｃｔ及びＮＦＣなど、他の無線パーソナルエリアネットワーク接続１３８が企図される。
【００１６】
好ましい実施形態では、サービス提供デバイス１０２は、サイト１０１への少なくとも第１の近接１１８内に位置する１人以上のユーザのうちの少なくとも１人にサービスを提供する。提供されるサービスは、情報要求デバイス１０４によって生成されたユーザ情報のローカルタクソノミー１２８に基づいて、ユーザ１１２Ａ、１１４、１１６のローカルコミュニティ１２６のニーズを最良に満たすように適合されている。更に、提供されるサービスは、ユーザがサイト１０１の少なくとも第１の近接１１８に出入りするときに、動的に適合される。
【００１７】
上述のシステムの様々なコンポーネントは、ここで、図３を参照してより詳細に論じられる。図３は、サービス提供デバイスによって提供されるサービスを動的に適合させるためのシステム３００のブロック図を示す。システム３００は、プロセッサ３０４と、メモリ３０６と、入力／出力（Ｉ／Ｏ）インターフェース３０８、３１０とを有する情報要求デバイス３０２を含む。コントローラ／バス３１２は、プロセッサ３０４、メモリ３０６、及び入力／出力インターフェース３０８、３１０を共に作動的に接続し得る。メモリ３０６は、本明細書に開示される方法を実施するための命令３１４を含み、メモリ３０６と通信するプロセッサ３０４は、以下で論じる方法の少なくとも一部又は全てを実施するための命令を実行する。プロセッサはまた、デバイス３０２及び／又はシステム３００の動作全体も制御し得る。加えて、システム３００は、デスクトップ、ラップトップ、パームトップコンピュータ、携帯情報端末（ＰＤＡ）、サーバコンピュータ、携帯電話、テーブルコンピュータ、モバイルデバイスなど、又はそれらの組み合わせなど、１つ以上のＰＣを含み得る。
【００１８】
メモリ３０６は、ランダムアクセスメモリ（ＲＡＭ）、読み出し専用メモリ（ＲＯＭ）、磁気ディスク若しくはテープ、光ディスク、フラッシュメモリ、又はホログラフィックメモリなどの任意の種類の非一時的コンピュータ可読媒体を表し得る。一実施形態では、メモリ３０６は、ランダムアクセスメモリと読み出し専用メモリとの組み合わせを含む。いくつかの実施形態では、プロセッサ３０４及びメモリ３０６は、単一のチップ内に組み合わされ得る。入力／出力（Ｉ／Ｏ）インターフェース３０８は、デバイス３０２がコンピュータネットワークを介して他のデバイスと通信することを可能にする。デジタルプロセッサ３０４は、シングルコアプロセッサ、デュアルコアプロセッサ（又はより一般的にはマルチコアプロセッサ）、デジタルプロセッサ、及び連携方式コプロセッサ、デジタルコントローラなどによって、様々に具体化され得る。
【００１９】
本明細書で使用するとき、用語「ソフトウェア」は、ソフトウェアの目的であるタスクを実施するようにコンピュータ又は他のデジタルシステムを構成するために、コンピュータ又は他のデジタルシステムによって実行可能な命令の任意のコレクション又はセットを包含することが意図される。用語「ソフトウェア」は、ＲＡＭ、ハードディスク、光ディスクなどの記憶媒体に記憶されたそのような命令を包含することが意図されており、また、ＲＯＭなどに記憶されたソフトウェアである、いわゆる「ファームウェア」を包含することも意図される。そのようなソフトウェアは様々な方法で組織化され得、ライブラリとして組織化されたソフトウェアコンポーネント、リモートサーバなどの上に記憶されたインターネットベースのプログラム、ソースコード、解釈コード、オブジェクトコード、直接実行可能コードなどを含み得る。ソフトウェアは、特定の機能を実施するために、システムレベルコード、又はサーバ若しくは他の場所に常駐する他のソフトウェアへのコールを呼び出し得ることが企図される。
【００２０】
特定の実施形態では、情報要求デバイス３０２は、極近接プロトコル３２０（例えば、Ｂｌｕｅｔｏｏｔｈ（登録商標）低エネルギー）を介して１つ以上のモバイルデバイス３１６を検出し、これと通信することができる、近接モジュール３０８である入力／出力インターフェース３０８を含むことができる。１つ以上のモバイルデバイス３１６は、情報要求デバイス３０２が位置するサイトへの少なくとも第１の近接内に位置し得る。いくつかの実施形態では、近接モジュール３０８は、サイトへの少なくとも第２の近接内に位置する１つ以上のモバイルデバイス３１６を検出することができる。
【００２１】
更なる実施形態では、情報要求デバイス３０２のソフトウェア命令３１４は、要求コンポーネント３２２、ローカルタクソノミージェネレータ３２６、及び出力コンポーネント３３０を含む。要求コンポーネント３２２は、近接モジュール３０８を介して１つ以上のモバイルデバイス３１６に共有可能なユーザ情報３２４を要求し、それを受信するように構成され得る。
【００２２】
ローカルタクソノミージェネレータ３２６は、１つ以上のモバイルデバイス３１６から受信された共有可能なユーザ情報３２４に基づいてローカルタクソノミー３２８を生成するように構成され得る。特定の実施形態では、情報要求デバイス３２２は分類コンポーネント３３６を更に含み、ローカルタクソノミージェネレータ３２６は、モバイルデバイス３１６から受信された共有可能なユーザ情報３２４が複数のユーザ情報カテゴリのうちの少なくとも１つに分類された後に、ローカルタクソノミー３２８を生成する。分類コンポーネント３３６は、複数のユーザ情報カテゴリによって定義されたマスタータクソノミー３３８に基づいて、１つ以上のモバイルデバイス３１６から受信された共有可能なユーザ情報３２４の少なくとも一部分を分類するように構成され得る。１つ以上のモバイルデバイス３１６から受信された共有可能なユーザ情報３２４の少なくとも一部分は、分類コンポーネント３３６によって、マスタータクソノミー３３８の複数のユーザ情報カテゴリのうちの少なくとも１つに分類され得る。いくつかの実施形態では、マスタータクソノミー３３８を定義する複数のユーザ情報カテゴリは、ネイティブタイムゾーン、音楽プリファレンス、ビデオプリファレンス、ユーザの趣味、言語プリファレンス、温度プリファレンス、及びプリンタ出力プリファレンスのうちの少なくとも１つを含むことができる。そのような実施形態では、１つ以上のモバイルデバイス３１６から受信された共有可能なユーザ情報３２４は、ネイティブタイムゾーン３４０、音楽プレイリスト３４２、音楽アーティストの名前、興味又は趣味３４４、母国語、音楽のジャンル又はタイプ、ビデオのジャンル（例えば、ホラー映画）、並びに、温度（例えば、睡眠に好ましい温度）、印刷及びスキャンプリファレンスなど、他の情報３４６のうちの少なくとも１つを含み得る。例えば、印刷及びスキャンプリファレンスとしては、カラー設定（例えば、カラーで、又はグレースケールで印刷又はスキャンするなど）、仕上げ設定（例えば、ステープル留め、ホールパンチなど）、好ましいコピー数（例えば、複数コピーを印刷する）、及び両面設定（例えば、両面又は片面）が挙げられ得るが、これらに限定されない。
【００２３】
特定の実施形態では、ローカルタクソノミー３２８は、マスタータクソノミー３２８の複数のユーザ情報カテゴリのサブセットによって定義される。例えば、マスタータクソノミー３２８が１００個のユーザ情報カテゴリによって定義される場合、ローカルタクソノミー３２６は、中央機関によって定められる及び／又は事前に決定されるように）、任意の数のユーザ情報カテゴリに分類された又は関連付けられたユーザ情報３２４（モバイルデバイス３１６から受信された）によって定義され得る。したがって、ローカルタクソノミージェネレータ３２６は、分類コンポーネント３３６によって複数のユーザ情報カテゴリのうちの少なくとも１つに分類された共有可能なユーザ情報３２４に基づいてローカルタクソノミー３２８を生成し得る。
【００２４】
出力コンポーネント３３０は、接続３３４を介してローカルタクソノミー３２８をサービス提供デバイス３３２に出力するように構成され得る。
【００２５】
好ましい実施形態では、システム３００は、１つ以上のモバイルデバイス３１６に関連付けられたユーザの少なくとも１人にサービスを提供する、サービス提供デバイス３３２を含む。サービス提供デバイス３３２は、例えば、オーディオデバイス、視覚表示デバイス、加熱システム、又は冷却システムを含み得る。より具体的な実施形態では、サービス提供デバイスは、スピーカシステム、表示画面（例えば、テレビ、モニタなど）、又はＨＶＡＣシステムであり得る。そのような実施形態では、提供されるサービスは、例えば、音楽の再生、広告の再生、又は領域（例えば、部屋、建物など）の温度調整であり得る。
【００２６】
好ましい実施形態では、サービス提供デバイス３３２によって提供されるサービスは、ローカルタクソノミー３２８に基づいて適合される。換言すれば、情報要求デバイス３０２のサイトの近くに位置する１つ以上のモバイルデバイス３１６に関連付けられたユーザのうちの少なくとも１人にサービス提供デバイス３３２によって提供されるサービスは、ローカルタクソノミー３２８を定義する複数のユーザ情報カテゴリのうちの少なくとも１つに分類された共有可能なユーザ情報３２４に基づいて調整又は修正され得る。
【００２７】
更なる実施形態では、ローカルタクソノミーは、情報要求デバイス３０２のサイトの特定の距離（すなわち、第１の近接）内に位置する２つ以上のモバイルデバイス３１６から受信された共有可能なユーザ情報３２４を含み、サイトへの第１の近接内に位置する２つ以上のモバイルデバイス３１６に関連付けられたユーザのうちの少なくとも１人にサービス提供デバイス３３２によって提供されるサービスは、ローカルタクソノミー３２８の複数のユーザ情報カテゴリのうちの少なくとも１つに分類された組み合わせられた共有可能なユーザ情報３２４に基づいて適合される。例えば、情報要求デバイス３０２に近接した２人以上のユーザが特定のスポーツへの共通の関心を共有するという、共有可能なユーザ情報３２４を情報要求デバイス３０２が受信すると、そのユーザ情報は、ローカルタクソノミー３２８に分類され及び組み込まれ得、表示モニタであり得るサービス提供デバイス３３２は、そのスポーツのための広告を表示し得る。１つ以上のモバイルデバイス３１６が、情報要求デバイス３０２のサイトへの少なくとも第２の近接内に位置するモバイルデバイス３１６を含む、実施形態では、サービス提供デバイス３３２によって提供されるサービスは、そのようなユーザに関連付けられた使用情報３２４に基づいて適合される。
【００２８】
また更なる実施形態では、システム３００は、情報要求デバイス３０２のサイトへの少なくとも第１の近接内に位置する１つ以上のモバイルデバイス３１６を含む。各モバイルデバイス３１６は、ユーザ及びモバイルデバイス３１６に関連付けられた共有可能なユーザ情報３２４（メタデータを含む）を送信するために情報要求デバイス３０２と通信することができる情報共有コンポーネント３５０と、情報共有コンポーネント３５０を実装するためのプロセッサと、情報共有コンポーネント３５０を実装するための命令を記憶するメモリデバイスと、を含むことができる。いくつかの実施形態では、情報共有コンポーネント３５０は、モバイルデバイス３１６に関連付けられた一意識別子３５４を生成するように構成された一意識別子ジェネレータ３５２を含む。更なる実施形態では、識別子ジェネレータ３５２は、モバイルデバイス３１６が情報要求デバイス３０２に遭遇するたびに新しい一意識別子３５４を生成する。
【００２９】
情報共有コンポーネント３５０は、モバイルデバイス３１６に関連付けられたユーザ情報３５８が、共有可能なユーザ情報３２４又はプライベートユーザ情報であるかどうかを判定するように構成された情報プライバシーコンポーネント３５６を更に含み得る。換言すれば、プライバシーコンポーネント３５６は、情報要求デバイス３０２によって要求された情報が共有されるべきかどうか、又は情報が保留されるべきかどうかを判定する。
【００３０】
また、本明細書では、サービス提供デバイスによって提供されるサービスをローカルタクソノミーに基づいて適合させるための方法も開示される。方法は、Ｓ１００から始まる。
【００３１】
Ｓ１０１において、情報要求デバイス３０２及びサービス提供デバイス３３２がサイト位置に配備される。情報要求デバイス３０２は、サイト位置領域に出入りするユーザに関連付けられたモバイルデバイス３１６についてサイト位置領域（すなわち、領域への少なくとも第１の近接）を監視し始め得る。サービス提供デバイスは、初期サービスを実施することによって初期化され得る。
【００３２】
Ｓ１０２では、１つ以上のモバイルデバイス３１６が、情報要求デバイス３０２によって検出され得る。上述したように、情報要求デバイス３０２は、極近接プロトコルを使用してサイト位置への少なくとも第１の近接内のモバイルデバイス３１６を検出することができる近接モジュールを含み得る。モバイルデバイス３１６が検出されない場合、初期サービスは、工程Ｓ１１２において、変更なしに続行し得るか、又は１人以上のユーザがサイト位置への少なくとも第１の近接内で検出されるまで中断され得る。１つ以上のモバイルデバイス３１６が検出された場合、工程Ｓ１０３において、デバイス３１６が、情報要求デバイス３０２及び／又はサービス提供デバイス３２２への少なくとも第１の望ましい近接内に位置するかどうかが判定される。検出されたデバイス３１６が所定の範囲／近接内にない場合、サービス提供デバイス３２２によって提供されるサービスは、工程Ｓ１１２において、初期化されるように続行され得るか、又は別のモバイルデバイスが検出され、範囲内になるまで中断され得る。
【００３３】
Ｓ１０４において、情報要求デバイス３０２は、サイト位置への少なくとも第１の近接内に位置する１つ以上のモバイルデバイス３１６にユーザ情報を要求する。特定の実施形態では、デバイス３０２は、マスタータクソノミー３３８内に定義された１つ以上のユーザ情報カテゴリに基づき得る、特定の共有可能なユーザ情報３２４を要求する。
【００３４】
Ｓ１０５において、共有可能なユーザ情報３２４は、１つ以上のモバイルデバイス３１６から受信される。情報３２４は、デバイス３１６に関連付けられたユーザ情報３５８のサブセットであり得る（すなわち、デバイス３１６は、「プライベート」と見なされる追加情報を含んでおり、共有されていない）。情報３２４は、デバイス３１６に関連付けられたメタデータを更に含み得る。システム３００は、未知の情報を明らかにするために、又はサービス提供デバイス３３２によって提供されるサービスをより良好に適合させるために、アプリケーション３５０を介して、１つ以上のモバイルデバイス３１６のユーザに追加情報又はメタデータの入力を促し得る。
【００３５】
Ｓ１０６において、１つ以上のユーザ情報カテゴリによって（例えば、マスタータクソノミー３３８から）定義されるユーザ情報３２４のローカルタクソノミー３２８が、デバイス３１６から受信された情報３２４に基づいて生成される。
【００３６】
更なる実施形態では、工程Ｓ１０７において、モバイルデバイス３１６及び関連ユーザが依然としてサイト位置、情報要求デバイス３０２、及び／又はサービス提供デバイス３３２への所望の範囲／近接内にあるかどうかを判定するための追加の近接チェックが実施される。ユーザ情報３２４がローカルタクソノミーに追加されたモバイルデバイス３１６が、領域を離れた（例えば、図１に見られるようにゾーン１１８からゾーン１３２へ移動した）場合、ユーザ情報は、工程Ｓ１０８において、ユーザ情報のローカルタクソノミー３２８から除去され得る。
【００３７】
ユーザ及びモバイルデバイス３１６が依然としてサイト位置、情報要求デバイス３０２、及び／又はサービス提供デバイス３３２への適切な近接内にある場合、サービス提供デバイス３３２によって提供されるサービスは、工程Ｓ１０９において、上述のように、ローカルタクソノミー３２８に基づいて修正及び／又は適合される。
【００３８】
上述の方法及び関連システムは、工程Ｓ１５０で終了するまで、ユーザ及びモバイルデバイス３１６のフローの進展に応じて、任意の期間にわたって続行し得る（すなわち、ローカルタクソノミー３２８を適応させ続け得る）。
【図１】
2020115342.tif 000003
【図２】
2020115342.tif 000004
【図３】
2020115342.tif 000005
【図４】
2020115342.tif 000006